(57)【特許請求の範囲】
【請求項１】
本体部と、
本体部の一端側に設けられ、使用者の肩口を覆う肩口部とを有し、
前記肩口部は、表裏２層構造とされ、それぞれキルト線によって幅方向に複数に区分された各区画に充填物が充填され、
裏側の層は、使用者の首部分を覆う幅方向中央部に位置する中央区画に対し、幅方向両外側に隣接する両側区画の方が、前記充填物の充填量が多く設定されるとともに、
幅方向両端部に位置する両端部区画が、前記中央区画および前記両側区画よりも前記充填物の充填量が少なく設定されていることを特徴とする掛け布団。
【請求項２】
表側の層は、幅方向中央部に位置する表側中央区画が、幅方向両外側に隣接する表側両側区画よりも、前記充填物の充填量が多く設定されるとともに、
幅方向両端部に位置する表側両端部区画が、前記表側中央区画および前記表側両側区画よりも前記充填物の充填量が少なく設定されていることを特徴とする請求項１に記載の掛け布団。
【請求項３】
前記表側および前記裏側の少なくとも一方の層には、
前記肩口部の幅方向中心を挟んでその両側に複数対の前記キルト線が形成され、前記キルト線は、前記本体部側に向けて、前記肩口部の幅方向中心から漸次離間する方向に傾斜して設けられていることを特徴とする請求項１または２に記載の掛け布団。
【請求項４】
前記表側の層は、使用者の首部分を覆う幅方向中心部を中心として横長に広がる横長キルト線と、
前記横長キルト線から前記使用者の足元部側に向けて両側に広がる斜め方向キルト線と、を有し、
前記横長キルト線は、その両端部が、前記肩口部の上辺において、その中央部を挟んだ両側に間隔を隔てて位置し、幅方向中央部が、前記両端部に対して前記本体部側に位置するよう、円弧状に湾曲形成されていることを特徴とする請求項１または２に記載の掛け布団。
【請求項５】
前記裏側の層には、
前記肩口部の幅方向中心を挟んでその両側に設けられた複数対の前記キルト線が形成され、
幅方向内側に配置された前記キルト線は、前記本体部側に向けて、前記肩口部の幅方向中心から漸次離間する方向に傾斜して設けられ、
幅方向外側に配置された前記キルト線は、前記本体部側に向けて、前記肩口部の幅方向中心に漸次接近する方向に傾斜して設けられていることを特徴とする請求項４に記載の掛け布団。
【発明の詳細な説明】
【技術分野】
【０００１】
本発明は、羽毛等が充填される掛け布団に関する。
【背景技術】
【０００２】
従来の一般的な掛け布団としては、上下の生地間に羽毛を所定量内包したものがある。この掛け布団は、使用者の体温の発散を防止して保温性に優れるとともに、弾力性および使用の際の肌触りにも優れる。さらに、上下の生地間に内包された羽毛の片寄りを防ぐため、上下の生地間が複数のキルト線（縫合部）によって複数の区画室に区分され、各区画室に羽毛が充填された構成が多用されている。
【０００３】
しかし、使用者が掛け布団を掛けた状態では、使用者の首・肩周りと、羽毛掛け布団と、敷き布団との間に隙間が開いてしまい、保温性が損なわれてしまうという問題がある。
【０００４】
これに対し、掛け布団を使用者の首・肩周りに密着しやすくするための工夫をこらした提案が複数なされている。
例えば、特許文献１には、掛け布団において、使用者の上に掛ける掛け部よりも、その両側部における充填材の密度を相対的に高くした構成が開示されている。
また、特許文献２には、肩口部が表裏２層構造とされ、裏側の層は、掛け布団の幅方向に複数の区画が形成され、幅方向中央部の区画は、その両側の区画に比較して充填物の充填量が少なくなるよう設定された構成が開示されている。
【先行技術文献】
【特許文献】
【０００５】
【特許文献１】特開２００５−２０４８３８号公報
【特許文献２】特開２０１３−９７２３号公報
【発明の概要】
【発明が解決しようとする課題】
【０００６】
しかしながら、特許文献１、２に記載の構成のように、使用者の首の上にかかる部分に対し、その両側で充填物の充填量を増やすと、掛け布団が重くなり、取扱いに労力を要するという問題がある。
そこでなされた本発明の目的は、高い保温性を確保しつつ、軽量で取り扱いの容易な掛け布団を提供することである。
【課題を解決するための手段】
【０００７】
本発明は、上記課題を解決するため、以下の手段を採用する。
すなわち、本発明は、本体部と、本体部の一端側に設けられ、使用者の肩口を覆う肩口部とを有し、前記肩口部は、表裏２層構造とされ、それぞれキルト線によって幅方向に複数に区分された各区画に充填物が充填され、裏側の層は、使用者の首部分を覆う幅方向中央部に位置する中央区画に対し、幅方向両外側に隣接する両側区画の方が、前記充填物の充填量が多く設定されるとともに、幅方向両端部に位置する両端部区画が、前記中央区画および前記両側区画よりも前記充填物の充填量が少なく設定されていることを特徴とする。
このような掛け布団によれば、肩口部において、中央区画の充填物の充填量が、その両側で隣接する両側区画よりも少ないことから、使用者の首にフィットしやすくなる。
また、中央区画に対し、両側区画の方が充填物の充填量が多く設定されることで、充填物の重量により、肩口部が使用者の肩に沿い、襟元、肩口の隙間を小さくするとともに、その両側でも敷布団との隙間が生じるのを防ぐ。
さらに、幅方向両端部の区画における充填物の充填量が少なく設定されているので、これにより、掛け布団の軽量化を図ることができる。
【０００８】
表側の層は、表側中央区画が、幅方向両外側に隣接する表側両側区画よりも、前記充填物の充填量が多く設定されるとともに、幅方向両端部に位置する表側両端部区画が、前記表側中央区画および前記表側両側区画よりも前記充填物の充填量が少なく設定されているようにしてもよい。
これにより、使用者の首を覆う部分では、裏側の層においては、中央区画の充填物の充填量が両外側の両側区画よりも少ないが、表側の層では、表側中央区画が、その両側の表側両側区画よりも充填物の充填量が多いため、保温性を確保することができる。
【０００９】
また、前記表側および前記裏側の少なくとも一方の層には、前記肩口部の幅方向中心を挟んでその両側に複数対の前記キルト線が形成され、前記キルト線は、前記本体部側に向けて、前記肩口部の幅方向中心から漸次離間する方向に傾斜して設けられているようにしてもよい。
これにより、肩口部が使用者の肩部の形状に沿って倣いやすく、掛け布団の使用者に対するフィット性を高めることができる。
【００１０】
また、前記表側の層は、使用者の首部分を覆う幅方向中心部を中心として横長に広がる横長キルト線と、前記横長キルト線から前記使用者の足元部側に向けて両側に広がる斜め方向キルト線と、を有し、前記横長キルト線は、その両端部が、前記肩口部の上辺において、その中央部を挟んだ両側に間隔を隔てて位置し、幅方向中央部が、前記両端部に対して前記本体部側に位置するよう、円弧状に湾曲形成されているようにしてもよい。
これにより、横長キルト線、斜め方向キルト線により、肩口部が使用者の肩部の形状に沿って倣いやすく、掛け布団の使用者に対するフィット性を高めることができる。
【００１１】
また、前記裏側の層には、前記肩口部の幅方向中心を挟んでその両側に複数対の前記キルト線が形成され、幅方向内側に配置された前記キルト線は、前記本体部側に向けて、前記肩口部の幅方向中心から漸次離間する方向に傾斜して設けられ、幅方向外側に配置された前記キルト線は、前記本体部側に向けて、前記肩口部の幅方向中心に漸次接近する方向に傾斜して設けられているようにしてもよい。
これによっても、肩口部が使用者の肩部の形状に沿って倣いやすく、掛け布団の使用者に対するフィット性を高めることができる。
【発明の効果】
【００１２】
本発明によれば、高い保温性を確保しつつ、軽量で取り扱いの容易な掛け布団を提供することが可能となる。
【図面の簡単な説明】
【００１３】
【図１】第１の実施形態にかかる掛け布団の表側の構成を示す図である。
【図２】第１の実施形態にかかる掛け布団の裏側の構成を示す図である。
【図３】本体部の層構成を示す断面図である。
【図４】本体部に備えた中間層の構成を示す断面図および平面図である。
【図５】第２の実施形態にかかる掛け布団の肩口部の表側の構成を示す図である。
【図６】第２の実施形態にかかる掛け布団の肩口部の裏側の構成を示す図である。
【図７】第２の実施形態にかかる掛け布団の変形例を示す図であって、掛け布団の裏側の構成を示す図である。
【発明を実施するための形態】
【００１４】
以下、添付図面を参照して、本発明による掛け布団を実施するための最良の形態を説明する。しかし、本発明はこれらの実施形態のみに限定されるものではない。
【００１５】
（第１の実施形態）
図１、図２に示すように、掛け布団１０は、平面視長方形で、本体部２０と、本体部２０の一端に設けられた肩口部３０Ａとを備える。
この掛け布団１０は、使用者に掛けた状態で、本体部２０が使用者の身体の胸部や腹部から下肢全体を覆い、肩口部３０Ａが使用者の肩口や襟元を覆う。
【００１６】
図３に示すように、本体部２０は、表地２１と裏地２２との間に中間層４０が設けられ、この中間層４０と表地２１との間に形成された表側層２３と、中間層４０と裏地２２との間に形成された裏側層２４と、が形成されている。
【００１７】
図１、図３に示すように、表側層２３は、表地２１と中間層４０との間に、本体部２０の長さ方向に延びる縦キルト線２５が、本体部２０の幅方向に間隔を隔てて、例えば２本形成されている。
また、表側層２３は、表地２１と中間層４０との間に、本体部２０の幅方向に延びる横キルト線２６が、本体部２０の長さ方向に間隔を隔てて、例えば３本形成されている。これにより、表側層２３には、本体部２０の幅方向中央部に、長さ方向に計４つの矩形状の表側中央区画Ｆ１〜Ｆ４が形成されている。そして、表側中央区画Ｆ１〜Ｆ４の幅方向両側には、それぞれ、本体部２０の長さ方向に計４つの矩形状の両側区画Ｆ５〜Ｆ８が形成されている。表側中央区画Ｆ１〜Ｆ４、および両側区画Ｆ５〜Ｆ８のそれぞれの区画には、羽毛等の充填物が所定量充填されている。
このような表側層２３の全体を覆うように、化粧生地２９が取り付けられている。
【００１８】
図２、図３に示すように、裏側層２４は、裏地２２と中間層４０との間に、本体部２０の長さ方向に延びる縦キルト線２７が、本体部２０の幅方向中央部とその両側とに間隔を隔てて、計３本形成されている。また、裏側層２４は、裏地２２と中間地（不図示）との間に、両側の縦キルト線２７，２７の間で本体部２０の幅方向に延びる横キルト線２８が、本体部２０の長さ方向に間隔を隔てて、例えば４本形成されている。これにより、裏側層２４には、両側の縦キルト線２７，２７の間に、長さ方向に計４つ、幅方向に計２列の、合計８個の矩形状の裏側中央区画Ｆ１１〜Ｆ１８が形成され、それぞれの区画には羽毛が所定量充填されている。
これら裏側中央区画Ｆ１１〜Ｆ１８の幅方向両側は、前記表側層２３の両側区画Ｆ５〜Ｆ８が裏側に回り込んで形成されている。
【００１９】
図３、図４に示すように、中間層４０は、裏地２２側から表地２１側に向けて、熱を輻射する輻射材４１と、綿からなる保温層４２と、生地層４３と、が順に積層された積層構造を有している。
輻射材４１は、例えばベースとなる不織布にアルミニウム合金を蒸着させたものや、セラミック材料を用いたフィルム等を用いることができる。この輻射材４１は、裏側層２４側からの熱の大半を輻射し、一部のみが透過する。
【００２０】
保温層４２は、例えばシンサレート（登録商標）や、アクリル繊維、ポリエステル繊維、シルク繊維、羊毛等からなる、予め定めた厚さを有する成形綿を用いるのが好ましい。
生地層４３は、少なくとも保温層４２を覆うよう設けられるが、保温層４２および輻射材４１の全体を覆うよう袋状に設けてもよい。
【００２１】
この中間層４０は、その幅寸法Ｗ３が、本体部２０の全体の幅Ｗ０より小さく、かつ、表側層２３の表側中央区画Ｆ１〜Ｆ４の幅Ｗ１および裏側層２４の裏側中央区画Ｆ１１〜Ｆ１８の幅Ｗ２よりも大きくなるよう形成されている。
【００２２】
このようにして、本体部２０は、幅方向の中間部が、表側層２３の表側中央区画Ｆ１〜Ｆ４の部分と、中間層４０と、裏側層２４の裏側中央区画Ｆ１１〜Ｆ１８と、からなる三層構造とされ、幅方向両側は、両側区画Ｆ５〜Ｆ８のみからなる一層構造とされている。
【００２３】
また、表側中央区画Ｆ１〜Ｆ４の部分と、裏側中央区画Ｆ１１〜Ｆ１８とに充填する羽毛等の充填物の充填量の合計が、両側区画Ｆ５〜Ｆ８における充填量よりも多く設定されている。
【００２４】
このような本体部２０においては、幅方向中央部が、表側層２３と、中間層４０と、裏側層２４とからなる三層構造とされることで、高い保温性を確保している。幅方向中央部において、本体部２０は中間層４０を有しており、この中間層４０は、裏側層２４側に熱を輻射する輻射材４１が形成されている。さらに、輻射材４１に保温層４２が積層され、輻射材４１を透過した熱が保温層４２に蓄積される。このようにして、本体部２０の幅方向中央部における保温性がさらに高まる。
【００２５】
一方、本体部２０の幅方向両側は、両側区画Ｆ５〜Ｆ８のみからなる一層構造とされ、羽毛や綿に比較して掛け布団１０の重量に大きな影響を与える生地の使用量を減らすことで、掛け布団１０の軽量化を図ることができる。
さらに、本体部２０の幅方向中間部の表側中央区画Ｆ１〜Ｆ４の部分と、裏側中央区画Ｆ１１〜Ｆ１８とに充填する羽毛等の充填物の充填量の合計よりも、幅方向両側の両側区画Ｆ５〜Ｆ８における充填量の方が少なく設定されている。これにより、掛け布団１０の軽量化を図ることができる。
【００２６】
次に、図１、図２に示すように、肩口部３０Ａは、表地３１と裏地３２との間に、不図示の中間地が設けられて表裏２層に区分されている。
【００２７】
図１に示すように、肩口部３０Ａの表地３１と中間地（不図示）との間には、肩口部３０Ａの幅方向中心を挟んでその両側に設けられた、左右対称な一対の内側斜めキルト線（キルト線）３４，３４と、これら内側斜めキルト線３４，３４の両外側に肩口部３０Ａの幅方向に沿って間隔を隔てて左右対称に設けられた一対の外側斜めキルト線（キルト線）３５，３５と、が形成されている。
内側斜めキルト線３４，３４、外側斜めキルト線３５，３５は、肩口部３０Ａの上辺３０ａから本体部２０側の下辺３０ｂに向けて、肩口部３０Ａの幅方向中心から漸次離間する方向に傾斜して設けられている。
【００２８】
このようにして、肩口部３０Ａは、表地３１と中間地（不図示）との間が、内側斜めキルト線３４，３４、外側斜めキルト線３５，３５によって、台形状の表側中央区画Ｋ１と、その両側の平行四辺形状の表側両側区画Ｋ２，Ｋ３と、両端部の表側両端部区画Ｋ４，Ｋ５と、に区画されている。
そして、羽毛などの充填物の充填量は、表側中央区画Ｋ１に対して、その両側の表側両側区画Ｋ２，Ｋ３の方が少なく、さらに、表側両端部区画Ｋ４，Ｋ５は、表側両側区画Ｋ２，Ｋ３よりも充填物の充填量がさらに少なくなるよう設定されている。
【００２９】
一方、図２に示すように、肩口部３０Ａにおいて、裏地３２と中間地（不図示）との間には、肩口部３０Ａの幅方向中心に位置し、肩口部３０Ａの上辺３０ａに直交する中心キルト線３６と、肩口部３０Ａの幅方向中心を挟んでその両側に設けられた、左右対称な一対の内側斜めキルト線（キルト線）３７，３７と、これら内側斜めキルト線３７，３７の両外側に肩口部３０Ａの幅方向に沿って間隔を隔てて左右対称に設けられた一対の外側斜めキルト線（キルト線）３８，３８と、が形成されている。
内側斜めキルト線３７，３７、外側斜めキルト線３８，３８は、肩口部３０Ａの上辺３０ａから本体部２０側の下辺３０ｂに向けて、肩口部３０Ａの幅方向中心から漸次離間する方向に傾斜して設けられている。また、これら内側斜めキルト線３７，３７、外側斜めキルト線３８，３８は、表側の内側斜めキルト線３４，３４、外側斜めキルト線３５，３５に対して重ならない位置に、肩口部３０Ａの幅方向に沿ってオフセットして形成されている。
【００３０】
このようにして、肩口部３０Ａは、裏地３２と中間地（不図示）の間が、中心キルト線３６，内側斜めキルト線３７，３７、外側斜めキルト線３８，３８によって、台形状の裏側中央区画（中央区画）Ｋ１１，Ｋ１２と、その両側の平行四辺形状の裏側両側区画（両側区画）Ｋ１３，Ｋ１４と、両端部の裏側両端部区画（両端部区画）Ｋ１５，Ｋ１６と、に区画されている。
そして、羽毛などの充填物の充填量は、裏側中央区画Ｋ１１，Ｋ１２に対して、その両側の裏側両側区画Ｋ１３，Ｋ１４が多く、裏側両端部区画Ｋ１５，Ｋ１６は、裏側中央区画Ｋ１１，Ｋ１２および裏側両側区画Ｋ１３，Ｋ１４よりもさらに少なくなるよう設定されている。
【００３１】
上述したような肩口部３０Ａを備える掛け布団１０は、裏側中央区画Ｋ１１，Ｋ１２の羽毛などの充填物の充填量が、その両側の裏側両側区画Ｋ１３，Ｋ１４より少ないので、使用者が首回りを裏側中央区画Ｋ１１，Ｋ１２の下に位置させると、肩口部３０Ａが使用者の首にフィットしやすい。
一方、肩口部３０Ａの表側では、表側中央区画Ｋ１における充填物の充填量が、その両側の表側両側区画Ｋ２，Ｋ３よりも多いため、使用者の首の部分の保温性が損なわれることもない。
そして、その両側の裏側両側区画Ｋ１３，Ｋ１４は、充填物の充填量が、裏側中央区画Ｋ１１，Ｋ１２よりも多いので、充填物の重量により、肩口部３０Ａが使用者の肩に沿い、襟元、肩口の隙間を小さくするとともに、その両側でも敷布団との隙間が生じるのを防ぐことができる。
さらに、肩口部３０Ａの両外側は、表側、裏側とも、表側両端部区画Ｋ４，Ｋ５、裏側両端部区画Ｋ１５，Ｋ１６における充填物の充填量が、表側両側区画Ｋ２，Ｋ３、裏側中央区画Ｋ１１，Ｋ１２および裏側両側区画Ｋ１３，Ｋ１４よりも少なく設定されている。これにより、掛け布団１０の軽量化を図ることができる。
【００３２】
また、肩口部３０Ａは、表側の内側斜めキルト線３４，３４、外側斜めキルト線３５，３５、裏側の内側斜めキルト線３７，３７、外側斜めキルト線３８，３８が、いずれも肩口部３０Ａの上辺３０ａから本体部２０側の下辺３０ｂに向けて、肩口部３０Ａの幅方向中心から漸次離間する方向に傾斜して設けられている。これによって、肩口部３０Ａが、使用者の肩部の形状に沿って倣いやすく、この点においても掛け布団の使用者に対するフィット性を高めることができる。
【００３３】
このようにして、高い保温性を確保しつつ、軽量で取り扱いの容易な掛け布団１０を提供することが可能となる。
【００３４】
（第２の実施形態）
次に、本発明にかかる掛け布団の第２の実施形態について説明する。なお、以下に説明する第２の実施形態においては、上記第１の実施形態に対して、肩口部３０Ｂの構成が異なるのみであり、本体部２０の構成は上記第１の実施形態で示したものと同様である。そこで、以下においては、肩口部３０Ｂの構成のみ説明する。
【００３５】
図５、図６に示すように、本実施形態における肩口部３０Ｂは、上記第１の実施形態と同様、表地３１と裏地３２との間に、中間地（不図示）が設けられて表裏２層に区分されている。
【００３６】
図５に示すように、肩口部３０Ｂの表地３１と中間地（不図示）との間には、肩口部３０Ｂの幅方向に連続する横長キルト線５１が形成されている。横長キルト線５１は、その両端部５１ａ、５１ａが、肩口部３０Ｂの上辺３０ａにおいて、その中央部を挟んだ両側に間隔を隔てて位置し、幅方向中央部５１ｂは、両端部５１ａ、５１ａに対して本体部２０側に位置するよう、円弧状に湾曲形成されている。
【００３７】
また、肩口部３０Ｂの幅方向中央部には、横長キルト線５１から本体部２０に向けて、幅方向に直交する掛け布団１０の長さ方向に連続する縦方向キルト線５２が、掛け布団１０の幅方向に間隔を隔てて複数形成されている。
また、肩口部３０Ｂの幅方向両側には、横長キルト線５１から肩口部３０Ｂの側辺３０ｃ、３０ｃに向けて斜めに延びる斜め方向キルト線５３が形成されている。
【００３８】
これにより、肩口部３０Ｂの表側は、横長キルト線５１と肩口部３０Ｂの上辺３０ａとの間に横長区画Ｓ１０が形成され、横長区画Ｓ１０の外周縁部に沿って、縦方向キルト線５２，斜め方向キルト線５３により、表側中央区画Ｓ１１と、その両側の表側両側区画Ｓ１２，Ｓ１３，Ｓ１４，Ｓ１５が形成されている。
そして、表側中央区画Ｓ１１は、羽毛等の充填物の充填量が、両側の表側両側区画Ｓ１２，Ｓ１３，Ｓ１４，Ｓ１５よりも多くなるよう設定されている。
【００３９】
一方、肩口部３０Ｂにおいて、裏地３２と中間地（不図示）との間には、肩口部３０Ｂの幅方向中心を挟んでその両側に設けられた、左右対称な一対の内側斜めキルト線５４，５４と、これら内側斜めキルト線５４，５４の両外側に肩口部３０Ｂの幅方向に沿って間隔を隔てて左右対称に設けられた一対の外側斜めキルト線５５，５５と、が形成されている。
内側斜めキルト線５４，５４は、肩口部３０Ｂの上辺３０ａから本体部２０側の下辺３０ｂに向けて、肩口部３０Ｂの幅方向中心から漸次離間する方向に傾斜して設けられている。外側斜めキルト線５５，５５は、肩口部３０Ｂの上辺３０ａから本体部２０側の下辺３０ｂに向けて、肩口部３０Ｂの幅方向中心に漸次接近する方向に傾斜して設けられている。また、これら内側斜めキルト線５４，５４、外側斜めキルト線５５，５５は、縦方向キルト線５２に対して重ならない位置に、肩口部３０Ｂの幅方向に沿ってオフセットして形成されている。
【００４０】
これにより、肩口部３０Ｂの裏側は、裏側中央区画（中央区画）Ｓ２１と、その両外側の裏側両側区画(両側区画)Ｓ２２，Ｓ２３と、さらにその両外側の裏側両端部区画（両端部区画）Ｓ２４，Ｓ２５とに区画されている。
そして、充填物の充填量は、裏側中央区画Ｓ２１よりも、その両外側の裏側両側区画Ｓ２２，Ｓ２３の方が多く、さらに、両外側の裏側両端部区画Ｓ２４，Ｓ２５は、裏側中央区画Ｓ２１および裏側両側区画Ｓ２２，Ｓ２３よりも充填物の充填量が少なくなるよう設定されている。
【００４１】
上述したような構成により、肩口部３０Ｂにおいて、横長区画Ｓ１０においては、キルト線によって敷布団や使用者の首回りとの間に隙間が形成されるのを防ぎ、保温性を高めて  いる。さらに、面積が大きな横長区画Ｓ１０は、その内部に充填された羽毛等の充填物が平らになりやすく、掛け布団１０の肩口部３０Ｂが、使用者の顎の下に入り込み、表地３１側の層が使用者の首に沿いやすい形状となる。
また、充填物の充填量は、裏側中央区画Ｓ２１の方が、その両外側の裏側両側区画Ｓ２２，Ｓ２３よりも少ないために、使用者が首回りを裏側中央区画Ｓ２１の下に位置させると、肩口部３０Ｂが使用者の首にフィットしやすい。
一方、肩口部３０Ｂの表側では、表側中央区画Ｓ１１における充填物の充填量が、その両側の表側両側区画Ｓ１２，Ｓ１３，Ｓ１４，Ｓ１５よりも多いため、使用者の首の部分の保温性が損なわれることもない。
【００４２】
また、肩口部３０Ｂの裏側において、裏側中央区画Ｓ２１よりも、その両外側の裏側両側区画Ｓ２２，Ｓ２３の方が充填物の充填量が多いので、肩口部３０Ｂが使用者の肩に沿い、襟元、肩口の隙間を小さくするとともに、その両側でも敷布団との隙間が生じるのを防ぐことができる。
【００４３】
さらに、肩口部３０Ｂの両外側は、表側、裏側とも、表側両側区画Ｓ１２，Ｓ１３，Ｓ１４，Ｓ１５、裏側両端部区画Ｓ２４，Ｓ２５における充填物の充填量が、表側中央区画Ｓ１１、裏側中央区画Ｓ２１および裏側両側区画Ｓ２２，Ｓ２３よりも少なく設定されている。これにより、掛け布団１０の軽量化を図ることができる。
【００４４】
また、肩口部３０Ｂは、内側斜めキルト線５４，５４、外側斜めキルト線５５，５５は、斜め方向キルト線５３が傾斜して設けられている。これによって、肩口部３０Ｂが、使用者の肩部の形状に沿って倣いやすく、この点においても掛け布団の使用者に対するフィット性を高めることができる。
【００４５】
このようにして、高い保温性を確保しつつ、軽量で取り扱いの容易な掛け布団１０を提供することが可能となる。
【００４６】
（第２の実施形態の変形例）
上記第２の実施形態において、肩口部３０Ｂの裏側は、以下に示すような構成としてもよい。
図７に示すように、肩口部３０Ｂにおいて、裏地３２と中間地（不図示）との間には、掛け布団１０の長さ方向に連続する縦方向キルト線５８が、掛け布団１０の幅方向に間隔を隔てて複数形成されている。
これら縦方向キルト線５８によって、肩口部３０Ｂにおいて、裏地３２と中間地（不図示）との間には、複数の区画Ｓ３１、Ｓ３２、…が形成されている（例えば本実施形態では、７個の区画Ｓ３１〜Ｓ３７）。そして、肩口部３０Ｂの中央部の区画Ｓ３１は、その両側の区画Ｓ３２、Ｓ３３に比較し、羽毛等の充填物の充填量が少なく設定されている。
さらに、区画Ｓ３２，Ｓ３３のさらに両外側の区画Ｓ３４〜Ｓ３７は、区画Ｓ３１および区画Ｓ３２，Ｓ３３よりも充填物の充填量が少なく設定されている。
【００４７】
上述したような構成においても、裏側の中央部の区画Ｓ３１の充填物の充填量が少ないために、肩口部３０Ｂが使用者の首にフィットしやすい。
さらに、その両外側の区画Ｓ３２，Ｓ３３は、充填物の充填量が、中央の区画Ｓ３１よりも多いために、その重量により、肩口部３０Ｂが使用者の首に沿い、襟元、肩口の隙間を小さくするとともに、その両側でも敷布団との隙間が生じるのを防ぐことができる。
加えて、肩口部３０Ｂの両外側の区画Ｓ３４〜Ｓ３７は、充填物の充填量が少ないので、掛け布団１０の軽量化を図ることができる。
【００４８】
なお、本発明の掛け布団は、図面を参照して説明した上述の各実施形態に限定されるものではなく、その技術的範囲において様々な変形例が考えられる。
上記各実施形態および変形で示した各キルト線は、表地３１と中間地（不図示）、裏地３２と中間地（不図示）を直接縫合して形成することもできるが、表地３１と中間地（不図示）との間、裏地３２と中間地（不図示）との間に、掛け布団１０の厚さ方向に位置する布地を挟み込んで縫合した、立体キルトによって形成することもできる。
また、本体部２０の構成は、上記に限るものではなく、適宜変更することが可能である。
これ以外にも、本発明の主旨を逸脱しない限り、上記実施の形態で挙げた構成を取捨選択したり、互いに組み合わせたり、さらには他の構成に適宜変更したりすることが可能である。
【符号の説明】
【００４９】
１０  掛け布団
２０  本体部
２３  表側層
２４  裏側層
３０Ａ、３０Ｂ  肩口部
３０ａ  上辺
３１  表地
３２  裏地
３３  中間地
３４  内側斜めキルト線（キルト線）
３５  外側斜めキルト線（キルト線）
３６  中心キルト線
３７  内側斜めキルト線（キルト線）
３８  外側斜めキルト線（キルト線）
４０  中間層
４１  輻射材
４２  保温層
４３  生地層
５１  横長キルト線
５１ａ  両端部
５１ｂ  幅方向中央部
５２  縦方向キルト線
５３  斜め方向キルト線
５４  内側斜めキルト線
５５  外側斜めキルト線
５８  縦方向キルト線
Ｋ１，Ｓ１１  表側中央区画
Ｋ２，Ｋ３，Ｓ１２，Ｓ１３，Ｓ１４，Ｓ１５  表側両側区画
Ｋ４，Ｋ５  表側両端部区画
Ｋ１１，Ｋ１２，Ｓ２１  裏側中央区画（中央区画）
Ｋ１３，Ｋ１４，Ｓ２２，Ｓ２３  裏側両側区画（両側区画）
Ｋ１５，Ｋ１６，Ｓ２４，Ｓ２５  裏側両端部区画（両端部区画）
【図１】
0005639683.tif 000002
【図２】
0005639683.tif 000003
【図３】
0005639683.tif 000004
【図４】
0005639683.tif 000005
【図５】
0005639683.tif 000006
【図６】
0005639683.tif 000007
【図７】
0005639683.tif 000008